(57)【要約】      （修正有）【課題】フレームの開閉において、アームのすべての位置で安定している眼鏡用フレームを提供する。【解決手段】側方突起部を有する前部マウント２を備える眼鏡用フレーム１であり、突起部は、対応するアーム４への連結のために設けられ、各突起部には、ヒンジ軸の方向において、互いに軸方向に対向する突起部の１対の表面が設けられる。各アームは、第１のアーム部分と第１のアーム部分よりも長手方向延在部が短い第２のアーム部分を備える。第２のアーム部分は、第１のアーム部分の上でそれに対向するように折り曲げられる。ピンは、第１のアーム部分と第２のアーム部分との間に介在するように構成され、ピンに対するアームのヒンジ式接続が実現される。第２のアーム部分は、第１のアーム部分に向かう凸形状を含む部分を有し、少なくとも部分的にピンを取り囲む。これにより、アームの回転運動中に各アームと対応するピンとの間の相対的な位置が維持される。【選択図】図１
0003231980.tif 000002
【実用新案登録請求の範囲】
【請求項１】
側方突起部（３）を有する前部マウント（２）を備える眼鏡用フレームであって、
前記突起部（３）は、対応するアーム（４）への連結のために設けられ、これにより、前記前部マウントへの各アームの連結式接続が実現され、
前記突起部（３）の各々には、ヒンジ軸の方向において、互いに軸方向に対向する前記突起部の１対の表面（３ａ，３ｂ）の間に延在するヒンジピン（６）が設けられ、
前記アーム（４）の各々は、第１のアーム部分（４ａ）を備え、
前記第１のアーム部分（４ａ）は、前記第１のアーム部分よりも長手方向延在部が短い第２のアーム部分（４ｂ）まで延在し、
前記第２のアーム部分（４ｂ）は、前記第１の部分（４ａ）の上でそれに対向するように折り曲げられ、
前記ピン（６）は、前記第１のアーム部分（４ａ）と前記第２のアーム部分（４ｂ）との間に介在するように構成され、これにより、前記ピン（６）への前記アーム（４）のヒンジ式接続が実現され、
前記第２のアーム部分（４ｂ）は、前記第１のアーム部分（４ａ）に向かう凸形状を含む部分（７）を有し、
前記凸形状を含む部分（７）は、少なくとも部分的に前記ピン（６）を取り囲み、これにより、前記アームの回転運動中に各アーム（４）と対応する前記ピン（６）との間の相対的な位置が維持されることを特徴とする、
フレーム。
【請求項２】
前記第２のアーム部分（４ｂ）は、隣接する互いに対して角度がつけられた２つの部分（８ａ，８ｂ）を備え、前記２つの部分（８ａ，８ｂ）は、共通の頂点（８ｃ）で合流して、前記凸形状を含む部分（７）を構成する、
請求項１に記載のフレーム。
【請求項３】
前記アーム（４）は、前記アームと前記ピンの組み立てで生じる、前記第１のアーム部分（４ａ）と前記第２のアーム部分（４ｂ）との間のわずかな弾性広がりによって得られる弾性予圧によって、前記ピン（６）に接続される、
請求項１または２に記載のフレーム。
【請求項４】
前記ピン（６）は、側方外殻を備え、前記側方外郭は、実質的に平面形状を有して互いに対して角度がつけられた１対の表面（９ａ，９ｂ）を有し、前記表面（９ａ，９ｂ）は、前記第１のアーム部分（４ａ）の対応する平面部分と支持接触するように構成され、これにより、前記フレームに対してそれぞれの開閉位置に前記アーム（４）が安定して配置される、
請求項１〜３のいずれか１項に記載のフレーム。
【請求項５】
前記ピンの平面（９ａ，９ｂ）は、互いに対して実質的に直角に角度がつけられる、
請求項４に記載のフレーム。
【請求項６】
前記突起部（３）は、前記第１のアーム部分（４ａ）の当接面（１７）を備え、前記当接面（１７）は、前記アームの開口部における回転運動の移動限界を画定する、
請求項１〜５のいずれか１項に記載のフレーム。
【請求項７】
前記突起部（３）の各々には、前記ヒンジ軸の方向に対して横方向に延在する貫通孔（１６）が設けられ、前記ピン（６）周りでの前記アーム（４）の回転運動中に、前記第１のアーム部分（４ａ）および前記第２のアーム部分（４ｂ）が少なくとも部分的に前記貫通孔（１６）を通過することができる、
請求項１〜６のいずれか１項に記載のフレーム。
【請求項８】
前記アーム（４）は、前記貫通孔（１６）に通して挿入されることで、前記ピン（６）に連結式に接続される、
請求項７に記載のフレーム。
【請求項９】
前記アーム（４）は、前記ピンを前記アームの開口部（１８）に通すことで、前記ヒンジピン（６）に連結式に接続され、前記開口部（１８）は、前記第１のアーム部分（４ａ）とそれに対向する前記第２のアーム部分（４ｂ）の自由端との間で画定される、
請求項８に記載のフレーム。
【考案の詳細な説明】
【技術分野】
【０００１】
本考案は、添付の実用新案登録請求の範囲に記載の主請求項１の前提部に記載された特徴を有する眼鏡用フレームに関する。
【背景技術】
【０００２】
特定の技術分野では、前部マウントへのアームの連結がヒンジ装置によって実現される眼鏡用フレームがよく知られている。ヒンジ装置は、互いに回転可能に係合される対応するピンとアイレット状座部とを有する。このような装置のヒンジ要素は、有利には、フレームのアームと突起部（lug）とに固定されるように結合される。
【０００３】
従来、このタイプの解決策は、先行技術で提供される様々なバージョンにおいて、ねじまたはヒンジピンの意図しない緩み、ヒンジ式連結に必要な複数の構成要素を製造する必要性、必要とされる構成要素が必要とする空間的要件、および軽量タイプのフレームで使用されるのにはあまり適していないヒンジ式装置自体の重さを含むいくつかの制限を伴う。
【考案の概要】
【考案が解決しようとする課題】
【０００４】
本考案の主目的は、アームと突起部との間の連結が、ヒンジピンによって実現されると共に、ヒンジを構成する構成要素の構造的単純化によって得られ、同時に、フレームの開閉という厳しい条件においてアームのすべての位置で特に安定している眼鏡用フレームを提供することである。
【０００５】
本考案の別の目的は、組み立てが容易で、特に細身で軽量なフレームでも使用できるように特に軽量で寸法が小さい、且つアームの移動中ならびにフレームの開閉という厳しい条件において、相対的な接続の安定性が高いレベルで確保されるアームのヒンジ式連結構造を有するフレームを製造することである。
【課題を解決するための手段】
【０００６】
上記目的および以下により詳細に記載するその他の目的は、添付の実用新案登録請求の範囲に従って構築された眼鏡用フレームによって達成される。
【図面の簡単な説明】
【０００７】
本考案のその他の特徴および利点は、添付の図面を参照して非限定的な一例として示すその好ましい実施形態の以下の詳細な説明からよりよく理解されるであろう。
【図１】本考案に従って製造された眼鏡用フレームの一例を示す斜視図である。
【図２】フレームに関連する前部突起部に対する一方のアームの連結に関連する、図１のフレームの細部を示す部分拡大斜視図である。
【図３】フレームに関連する前部突起部に対する一方のアームの連結に関連する、図１のフレームの細部を示す部分拡大斜視図である。
【図４】図１〜図３の細部を示す拡大斜視図である。
【図５】フレームへのアームの連結のための動作シーケンスにおける、図３の細部を示す斜視図である。
【図６】フレームへのアームの連結のための動作シーケンスにおける、図３の細部を示す斜視図である。
【図７】フレームへのアームの連結のための動作シーケンスにおける、図３の細部を示す斜視図である。
【図８】ヒンジピンの組み立てシーケンスにおける、図１〜図７のフレームの細部を示す側面図である。
【図９】ヒンジピンの組み立てシーケンスにおける、図１〜図７のフレームの細部を示す側面図である。
【図１０】ヒンジピンの組み立てシーケンスにおける、図１〜図７のフレームの細部を示す側面図である。
【図１１】ヒンジピンが構築される、本考案によるフレームの細部を示す正面図である。
【図１２】ヒンジピンが構築される、本考案によるフレームの細部を示す平面図である。
【図１３】対応するアームをフレームに連結するための突起部を構成するフレームの細部を示す斜視図である。
【図１４】対応するアームをフレームに連結するための突起部を構成するフレームの細部を示す平面図である。
【図１５】対応する突起部に連結されたアームを部分的に示す、図１４に対応する図である。
【図１６】図１５の線ＸＶＩ−ＸＶＩに沿った断面図である。
【図１７】フレームのヒンジピン周りでのアームの連結組み立てステップを示す部分斜視図である。
【図１８】図１７とは異なる連結組み立てステップを示す部分斜視図である。
【図１９】図１７および図１８とは異なる連結組み立てステップを示す部分斜視図である。
【図２０】アームのヒンジ式連結突起部の部分断面を詳細に示す斜視図である。
【図２１】図１〜図２０のアームを示す斜視図である。
【図２２】図１〜図２０のアームを示す側面図である。
【図２３】図１〜図２０のアームを示す平面図である。
【図２４】フレームに対するアームのヒンジ式連結領域を示す拡大模式図である。
【図２５】ヒンジピン周りでの連結運動における、突起部に対するアームの位置を示す、図２４に対応する図である。
【図２６】図２５とは異なる位置を示す、図２４に対応する図である。
【図２７】図２５および図２６とは異なる位置を示す、図２４に対応する図である。
【考案を実施するための形態】
【０００８】
上述した図を参照すると、本考案に従って製造された眼鏡用フレームが参照符号１によって全体として示されている。フレーム１は、レンズ（図示せず）を保持するための前部マウント２を備える。前部マウント２には、互いに反対側に１対の側方突起部３が設けられる。突起部３は、前部マウントへの対応するアーム４の連結式接続のために設けられる。各アーム４を対応する突起部３に接続するために、フレームは、対応する連結手段を備える。連結手段は、参照符号５によって全体として示されており、前部マウントへの各アームの連結式接続を実現するのに適している。これにより、対応する開位置と閉位置との間で、前部マウントに対する連結軸Ｘ周りでの各アームの回転が可能になる。この構造的および機能的特徴を考慮して、以下では、フレームの前部マウント２へのアーム４の連結手段について、一方のアームのみを詳述する。
【０００９】
図に示すように、各突起部３には、ヒンジ軸Ｘの方向において、互いに軸方向に対向する突起部の１対の表面３ａ，３ｂの間に延在するヒンジピン６が設けられる。
【００１０】
各アーム４は、第１のアーム部分４ａを備え、第１のアーム部分４ａは、第１のアーム部分よりも長手方向延在部が短い第２のアーム部分４ｂまで延在する。第２のアーム部分４ｂは、添付の図面、特に図２１に明らかに示すように、第１の部分４ａの上でそれに対向するように、フック状の形状に折り曲げられる。
【００１１】
ピン６は、第１のアーム部分と第２のアーム部分との間に介在するように構成される。これにより、ピン６へのアーム４のヒンジ式接続が実現される。第２のアーム部分４ｂは、第１のアーム部分４ａに向かう凸形状を含む部分７を有する。凸形状を含む部分７は、少なくとも部分的にピン６を取り囲む。これにより、アームの回転運動中に各アームと対応するピンとの間の相対的な位置が維持される。好ましくは、アーム４は、薄いプレート状の形状を有する。すなわち、アームの断面は、眼鏡を着用した状態でユーザの頭のこめかみ領域と実質的に平行に測定されるアームの高さ寸法を有する。これは、高さに対して横方向に測定されるアームの厚さよりもはるかに大きい。この薄い部分の形状と、好ましくは金属材料であるその部分を形成する材料の選択とによって、アームの長手方向にわたって小さい寸法およびかなりの軽さに関連する特徴を、特に細身であるアーム全体に与えることができ、さらに、良好な審美的効果を含む全体的なデザインをフレームに与えることができる。これに関連して、薄い金属プレートを有する構造が、フレームのアームおよび前部マウントを形成するのに特に適している。
【００１２】
上述したプレート状構造によれば、アームを折り曲げることによって、アームのフック状の形状を容易に得ることができる。これにより、第１の部分に対向するように第１の部分の上で折り曲げられた第２のアーム部分が形成される。例えば金属プレートから形成された実質的に平坦なアームのプレート状構造から開始して、第２のアーム部分４ｂを第１のアーム部分４ａの上で約１８０度折り曲げることによって、上記のような構成を得ることができる。
【００１３】
さらに、第２のアーム部分４ｂの自由端を、第２のアーム部分が第１の部分の上で折り曲げられるのと同じ曲げ方向に追加で折り曲げることによって、凸形状を含む部分７を得ることができる
より詳細には、第２のアーム部分の上には、隣接する互いに対して角度がつけられた２つの部分８ａ，８ｂが画定される。２つの部分８ａ，８ｂは、共通の頂点８ｃで合流して、凸形状を含む部分７を構成する。部分７は、ヒンジピン６の外殻と部分的に支持接触してそれを取り囲むことができる。これにより、アームは、ヒンジピン周りでの回転の自由度を有しながら、突起部に対して相対的な位置に保持される。
【００１４】
ピン６は、図１２に明確に示すように、偏心断面を含む主要部分６ａを有する。ピンの外殻は、互いに対して実質的に直角に角度がつけられた１対の平面状の側面９ａ，９ｂから構成されるカム型の形状を有する。側面９ａ，９ｂは、ピンの残りの外部円筒形状に接続される。カム型形状の断面は、主要部分６ａの長手方向の延在部にわたって均一であり、直径および長手方向延在部がより小さい第２の部分６ｂまで延在する。
【００１５】
参照符号１０ａ，１０ｂは、突起部内で延在し、互いに平行且つ離間する１対のウィングを示す。ウィング１０ａ，１０ｂは、ヒンジピン６が間に介在する表面３ａ，３ｂをそれぞれ有する。フレームが着用されたときにウィング１０ｂの上方に位置するウィング１０ａには、ピンの偏心断面に対応する形状を有するアイレット状の貫通開口部１１ａが形成される。開口部１１ａは、接続時の遊びを制限しながらピンを通過させるような寸法を有する。対向する下側のウィング１０ｂには、偏心開口部１１ａと同軸の貫通孔１１ｂが形成される。貫通孔１１ｂは、接続時の遊びを制限しながらピン部分６ｂを通過させるような寸法を有する。
【００１６】
ピン部分６ａと６ｂとの間には、ウィング１０ａ，１０ｂの間にピンが挿入された後にウィング１０ｂの表面に当接するように構成された当接部１２が画定される。
【００１７】
ピンが突起部のウィング１０ａ，１０ｂの間に挿入されると、ピン部分６ｂの自由端は、塑性変形によってさらに留められるように構成される。これにより、ピンが孔１１ｂから抜け落ちることを防止するように大きさが拡張または増大されて、開口部１１ａから抜け落ちることも防止することができる。
【００１８】
突起部へのピンの適用を容易にするために、ピン６は、下側のピン部分６ｂから同軸に延在する細いシャンク１３の形態の延在部を有するように形成される。ピン部分６ｂとシャンク１３との間には、減少された直径を有する部分１４が設けられる。部分１４は、シャンク１３をピン６から容易に分離するのに適した切断または破断部分を構成する。
【００１９】
特に図８〜図１０を参照すると、ピン６は、突起部へのアームの連結式接続の前に、突起部に適用される。
【００２０】
シャンク１３と一体成形されるピンは、図８に示すように突起部の上側から挿入され、上側開口部１１ａと孔１１ｂとを通過する。シャンク１３の延在部によって、挿入ステップの間に、突起部に設けられた偏心開口部および孔にピンを挿入しやすくなる。
【００２１】
ピン６が対応する下側ウィング１０ｂに隣接する当接部１２に当接する、図９に示す位置に到達すると、ピンは、その延在シャンク１３が取り除かれて、その全体的な軸方向の長さが、使用のために提供された寸法に減少される。部分１４を切断または破断することで、シャンクを容易に分離することができる（図１０）。
【００２２】
シャンク１３が取り除かれると、ピン部分６ｂの下端が再び留められて、ピン部分の一種の下側「ヘッド」または「拡大部」が得られる。これは、図１６において参照符号１５で示されており、孔１１ｂの直径よりも大きな直径を有する。結果として、ピン６は、突起部内に封じ込められて、そこから取り除かれることもない。
【００２３】
参照符号１６で示される孔は、各突起部に設けられ、対向するウィング１０ａ，１０ｂによって垂直方向に区切られる。開口部は、ヒンジ軸の方向に対して横方向に突起部を通過して延在するように形成される。孔１６は、以下の説明から明らかになるように、ピン周りでのアームの回転運動において、第１および第２のアーム部分が少なくとも部分的に通過するように構成される。
【００２４】
突起部３は、孔１６の側で延在する表面１７をさらに備える。表面１７は、第１のアーム部分に当接するように構成される。これにより、アームの開口部における回転運動の移動限界を画定することができる。
【００２５】
ピン６へのアーム４の接続は、アームとピンの組み立てで生じる、第１のアーム部分と第２のアーム部分との間のわずかな弾性広がりによって得られる弾性予圧によって実現される。
【００２６】
すなわち、アームは、わずかな弾性広がりに付勢されるようにピンに接続される。したがって、ピンの部分の寸法は、静止位置で測定されたアームの２つの枝部の間の最大距離よりも大きくなければならない。
【００２７】
この配置によって、組み立て時にアームに弾性予引張または予圧が生じる。
【００２８】
弾性予圧によって、ピン周りでのアームの回転中に十分な摩擦力が維持される。この摩擦は、当該技術分野において「ヒンジ摩擦」とも呼ばれ、機構の動作の安定性および規則性を向上させるため、可能な限り求められる（その結果、優れた製品品質の認識を得ることができる）。また、組み立て時に生じる弾性予圧によって、材料の摩耗によるピンの部分の寸法および／またはアームの太さの変化（減少）に起因する摩擦力の減少が補償されるため、このようなヒンジの摩擦は、長期間にわたって持続することができる。
【００２９】
必要に応じて、アームが適切な材料から製造されている前提で、アームの弾性戻りが摩耗の減少（例えば特に長期間にわたる使用の後）を補償するのに十分でない場合、第２のアーム部分すなわち凸形状を含む部分を塑性変形させて、２つの角度がつけられた部分を第１のアーム部分に近づけることができる。これにより、第１のアーム部分と第２のアーム部分との間の空間を縮小することができ、この空間をピンの断面よりもわずかに小さい寸法に戻して、摩擦力のために十分に高い値を回復させることができる。突起部内でのアームの分解および再組み立てが非常に容易であるために、この動作を行うことができる。
【００３０】
図１７〜図２０は、フレームの突起部におけるアームの組み立てシーケンスを示す。
【００３１】
図１７の矢印で示すように、接続は、突起部の外側で孔１６を通してアームを挿入することで、実現される。
【００３２】
突起部への挿入中のアームの最適な向きは、「閉じたアーム」の位置（突起部に対して９０度）に正確に対応する向きではなく、図２４に示すように、この位置に対するわずかな角度偏差に対応する向きである。
【００３３】
実際、このような進入角度では、ピン６は、アーム４に対してより小さい寸法の断面を有するため、ピン周りでの当接のためにアームが必要とする間隔はわずかになる。その結果、アームの弾性抵抗を克服するために必要な労力は控えめであり、組み立て動作が容易である。
【００３４】
ピンがアームのフック状の形状の開口部を通過すると（この開口部は、図２４において参照符号１８によって示され、第１のアーム部分４ａと第２のアーム部分４ｂの自由端との間で画定される）、アームがフレームを着用するのに適した全開位置（図２０）である組み立て位置に到達するまで、アームは、前部マウント（図１９）から離れる方向への回転（図１８）およびそれに続く牽引作用を受ける。この位置において、アーム４は、当接面１７に当接し、ピン６の外殻の平面９ａは、第１のアーム部分の平面形状で対応する側面と支持接触する。このような構成によって、開いたアームの位置を「安定」させることができる（図２５）。開いたアームの位置から、フレームを閉じる方向にアームを回転させることで、アームの別の弾性広がりを生じさせることができる。これは、図２６の中間位置まで増加する。ここで、ピンは、その偏心形状によって、第１のアーム部分と第２のアーム部分との間に最大の横方向寸法を有する。
【００３５】
この位置から、別の閉方向にアームを回転させることで、アームは、図２７に示すように安定した閉位置に到達する。ここで、アームは、突起部に対して実質的に垂直になるように位置し、ピンの外殻の平面９ｂは、第１のアーム部分の平面形状で対応する表面と支持接触する。このような構成によって、アームの開始位置への復帰を介して（すなわち、開位置にあるアームと同じ弾性予圧を有して）、閉じたアームの位置を「安定」させることができる。
【００３６】
ピンの偏心形態の結果として、アームの開閉運動は、実施的に不安定な平衡を有する中間位置（図２６）を通過する予圧の存在によって、弾性解放が実現されることが観察される（ここで、ピンは、ピンの平面９ａ，９ｂをまたいで、偏心形状の端部領域において第１のアーム部分に接触している）。
【００３７】
したがって、本考案は、上述した目的を達成し、既知の解決策に対して複数の利点を提供する。
【００３８】
最初の利点は、本考案によるフレームでは、アームの特定の形状とその弾性予圧とによって、摩耗現象が生じた場合でも、アームの十分な摩擦が常に維持され、材料の摩耗に起因する接続時の遊びの発生を継続的に補償することができるという事実に関する。
【００３９】
別の利点は、ピンの断面における特定の形状によって、「弾性解放」を含むアームの開閉運動が実現されることである。この解放によって、フレームの対応する２つの異なる構成（それぞれフレームの着用と折り畳みに対応する）の安定性を確保することができる。アームのこのような挙動は、高いレベルの使い勝手の良さを提供することと、ユーザ（または購入する可能性がある人）に製品品質の高さまたは構造的配慮を認識させることができるという二重の利点を提供する。
【００４０】
別の利点は、上述した動作特性が、フレーム上で組み立てが容易、且つ特定の軽さおよび小さな寸法を有する構造から得られることである。これにより、特に細身で軽量なフレームでも使用することができる。
【００４１】
さらに別の利点は、構造的単純化および装置の構成要素の数を制限することができることに関する。これは、非常に小さい全体寸法を有し、特に軽量な眼鏡を構築するのに特に適している。
【図１】
0003231980.tif 000003
【図２】
0003231980.tif 000004
【図３】
0003231980.tif 000005
【図４】
0003231980.tif 000006
【図５】
0003231980.tif 000007
【図６】
0003231980.tif 000008
【図７】
0003231980.tif 000009
【図８−１０】
0003231980.tif 000010
【図１１】
0003231980.tif 000011
【図１２】
0003231980.tif 000012
【図１３】
0003231980.tif 000013
【図１４】
0003231980.tif 000014
【図１５】
0003231980.tif 000015
【図１６】
0003231980.tif 000016
【図１７】
0003231980.tif 000017
【図１８】
0003231980.tif 000018
【図１９】
0003231980.tif 000019
【図２０】
0003231980.tif 000020
【図２１】
0003231980.tif 000021
【図２２】
0003231980.tif 000022
【図２３】
0003231980.tif 000023
【図２４】
0003231980.tif 000024
【図２５】
0003231980.tif 000025
【図２６】
0003231980.tif 000026
【図２７】
0003231980.tif 000027
【手続補正書】
【提出日】令和2年12月7日(2020.12.7)
【手続補正１】
【補正対象書類名】実用新案登録請求の範囲
【補正対象項目名】全文
【補正方法】変更
【補正の内容】
【実用新案登録請求の範囲】
【請求項１】
側方突起部（３）を有する前部マウント（２）を備える眼鏡用フレームであって、
前記突起部（３）は、対応するアーム（４）への連結のために設けられ、これにより、前記前部マウントへの各アームの連結式接続が実現され、
前記突起部（３）の各々には、ヒンジ軸の方向において、互いに軸方向に対向する前記突起部の１対の表面（３ａ，３ｂ）の間に延在するヒンジピン（６）が設けられ、
前記アーム（４）の各々は、第１のアーム部分（４ａ）を備え、
前記第１のアーム部分（４ａ）は、前記第１のアーム部分よりも長手方向延在部が短い第２のアーム部分（４ｂ）まで延在し、
前記第２のアーム部分（４ｂ）は、前記第１の部分（４ａ）の上でそれに対向するように折り曲げられ、
前記ピン（６）は、前記第１のアーム部分（４ａ）と前記第２のアーム部分（４ｂ）との間に介在するように構成され、これにより、前記ピン（６）への前記アーム（４）のヒンジ式接続が実現され、
前記第２のアーム部分（４ｂ）は、前記第１のアーム部分（４ａ）に向かう凸形状を含む部分（７）を有し、
前記凸形状を含む部分（７）は、少なくとも部分的に前記ピン（６）を取り囲み、これにより、前記アームの回転運動中に各アーム（４）と対応する前記ピン（６）との間の相対的な位置が維持され、
前記第２のアーム部分（４ｂ）は、隣接する互いに対して角度がつけられた２つの部分（８ａ，８ｂ）を備え、
前記２つの部分（８ａ，８ｂ）は、共通の頂点（８ｃ）で合流して、前記凸形状を含む部分（７）を構成し、
前記ピン（６）は、側方外殻を備え、
前記側方外郭は、実質的に平面形状を有して互いに対して角度がつけられた１対の表面（９ａ，９ｂ）を有し、
前記表面（９ａ，９ｂ）は、前記第１のアーム部分（４ａ）の対応する平面部分と支持接触するように構成され、これにより、前記フレームに対してそれぞれの開閉位置に前記アーム（４）が安定して配置されることを特徴とする、
フレーム。
【請求項２】
前記アーム（４）は、前記アームと前記ピンの組み立てで生じる、前記第１のアーム部分（４ａ）と前記第２のアーム部分（４ｂ）との間のわずかな弾性広がりによって得られる弾性予圧によって、前記ピン（６）に接続される、
請求項１に記載のフレーム。
【請求項３】
前記ピンの平面（９ａ，９ｂ）は、互いに対して実質的に直角に角度がつけられる、
請求項１または２に記載のフレーム。
【請求項４】
前記突起部（３）は、前記第１のアーム部分（４ａ）の当接面（１７）を備え、前記当接面（１７）は、前記アームの開口部における回転運動の移動限界を画定する、
請求項１〜３のいずれか１項に記載のフレーム。
【請求項５】
前記突起部（３）の各々には、前記ヒンジ軸の方向に対して横方向に延在する貫通孔（１６）が設けられ、前記ピン（６）周りでの前記アーム（４）の回転運動中に、前記第１のアーム部分（４ａ）および前記第２のアーム部分（４ｂ）が少なくとも部分的に前記貫通孔（１６）を通過することができる、
請求項１〜４のいずれか１項に記載のフレーム。
【請求項６】
前記アーム（４）は、前記貫通孔（１６）に通して挿入されることで、前記ピン（６）に連結式に接続される、
請求項５に記載のフレーム。
【請求項７】
前記アーム（４）は、前記ピンを前記アームの開口部（１８）に通すことで、前記ヒンジピン（６）に連結式に接続され、前記開口部（１８）は、前記第１のアーム部分（４ａ）とそれに対向する前記第２のアーム部分（４ｂ）の自由端との間で画定される、
請求項６に記載のフレーム。